(57)【要約】      （修正有）【課題】ケース割れや接着不良を滅減し、組み立て時間の短縮、生産効率のアップをも可能にした有用なピエゾライターを提供する。【解決手段】分割式圧電ユニット５ｃは、着火操作子５ｂに組み付けられたハンマーホルダー５ｃ１と、ハンマーホルダーと対向する位置に配設されたエレメントホルダー５ｃ２とを備え、その両ホルダー間にリターンスプリング５ｃ１０を介して遊離状態に分割せしめる。ハンマーホルダーは、ハンマースプリング５ｃ３を介して付勢されたハンマーと、ハンマーの幅方向に突設されたハンマーピン５ｃ５と、ハンマーと電気的に接続されたアース５ｃ６とを備える。エレメントホルダー５ｃ２は、受け部材５ｃ７、エレメント５ｃ８を介して配設されたヒッティングピン５ｃ９と、ハンマーとの間に介在されたリターンスプリングとを備える。【選択図】 図１
0003138575.tif 000002
【実用新案登録請求の範囲】
【請求項１】
ライター本体に組み付けられた着火操作子と、該着火操作子の押込動作に応じて伸縮すべく相互に嵌め合わされた圧電ユニットを備えてなるピエゾライターにおいて、
前記圧電ユニットは、着火操作子に組み付けられた上半身部と、該上半身部と対向する位置に配設された下半身部との間にスプリングを介して両半身部を遊離状態に分割してなることを特徴とするピエゾライター。
【請求項２】
前記上半身部は、着火操作子に連設されたハンマーホルダーと、該ハンマーホルダー内にハンマースプリングを介して付勢されたハンマーと、該ハンマーの幅方向に突設されたハンマーピンと、前記ハンマーと電気的に接続されたアースとを備えてなることを特徴とする請求項１に記載のピエゾライター。
【請求項３】
前記下半身部は、前記ハンマーホルダーと相対して配設されたエレメントホルダーと、該エレメントホルダーに組み付けられたヒッティングピンと、前記エレメントホルダーと前記ハンマーとの間に介在されたリターンスプリングとを備えてなることを特徴とする請求項１に記載のピエゾライター。
【考案の詳細な説明】
【技術分野】
【０００１】
本考案は、圧電素子を備えたピエゾライターの改良に関し、更に詳しくは、着火操作子の押込動作に応じて伸縮すべく相互に嵌め合わされた圧電ユニットを分割すべくアウターケースを不要とすることで、組み立てが簡単で接着不良をも滅減した有用なピエゾライターに関する。
【背景技術】
【０００２】
従来、ピエゾライターは、圧電素子を打撃機構で打撃して高電圧を生じさせる圧電ユニットを使用し、着火操作子の押し込み動作によって自動的にガス噴出ノズルの弁が開かれると共に、瞬時に火花放電が発生して着火がなされるように組み付けされている（例えば、特許文献１参照）。
【特許文献１】実開昭５４−４４１７６号公報
【考案の開示】
【考案が解決しようとする課題】
【０００３】
しかしながら、上述した従来のピエゾライターにあっては、圧電ユニットがインナーケースとアウターケースとで一体的に組み立てられているため、ケースに割れ不良が出てしまうことがあり、また、アウターケースがあることにより上から入れる接着剤の回りが悪いといった問題もあり、これに起因する不良品の減少が要望されている。
【０００４】
本考案はこのような従来の問題点及び要望に鑑みてなされたもので、従来の如きケース割れや接着不良を滅減し、組み立て時間の短縮、生産効率のアップをも可能にした有用なピエゾライターを提供することを目的としたものである。
【課題を解決するための手段】
【０００５】
上述の如き従来の問題点を解決し、所期の目的を達成するため本考案の要旨とする構成は、ライター本体に組み付けられた着火操作子と、該着火操作子の押込動作に応じて伸縮すべく相互に嵌め合わされた圧電ユニットを備えてなるライターにおいて、前記圧電ユニットは、着火操作子に組み付けられた上半身部と、該上半身部と対向する位置に配設された下半身部との間にスプリングを介して両半身部を遊離状態に分割してなるピエゾライターに存する。
【０００６】
また、前記上半身部は、着火操作子に連設されたハンマーホルダーと、該ハンマーホルダー内にハンマースプリングを介して付勢されたハンマーと、該ハンマーの幅方向に突設されたハンマーピンと、前記ハンマーと電気的に接続されたアースとを備えるのが良い。
【０００７】
更に、前記下半身部は、前記ハンマーホルダーと相対して配設されたエレメントホルダーと、該エレメントホルダーに組み付けられたヒッティングピンと、前記エレメントホルダーと前記ハンマーとの間に介在されたリターンスプリングとを備えるのが良い。
【考案の効果】
【０００８】
本考案は上述のように構成され、前記圧電ユニットは、着火操作子に組み付けられた上半身部と、該上半身部と対向する位置に配設された下半身部との間にスプリングを介して両半身部を遊離状態に分割してなることによって、アウターケースを省くことができるため、従来の如きケース割れがなく、また、接着剤の注入がより確実になることも相俟って、不良数の著しい減少が見込まれるといった効果を奏する。
【０００９】
また、前記上半身部は、着火操作子に連設されたハンマーホルダーと、該ハンマーホルダー内にハンマースプリングを介して付勢されたハンマーと、該ハンマーの幅方向に突設されたハンマーピンと、前記ハンマーと電気的に接続されたアースとを備えること、延いては、前記下半身部が、前記ハンマーホルダーと相対して配設されたエレメントホルダーと、該エレメントホルダーに組み付けられたヒッティングピンと、前記エレメントホルダーと前記ハンマーとの間に介在されたリターンスプリングとを備えることによって、従来の圧電ユニットに比して、組み立て時間の短縮、生産効率のアップを図ることができるといった効果を奏する。
【００１０】
このように本考案は、従来の如きケース割れや接着不良を滅減し、組み立て時間の短縮、生産効率のアップをも可能にした有用なピエゾライターを提供できるものであり、また、構成が単純であるため大量生産に適し、価格も低廉なものとして需要者に供給できる等、本考案を実施することはその実益的価値が甚だ大である。
【考案を実施するための最良の形態】
【００１１】
前記圧電ユニットは、着火操作子に組み付けられた上半身部と、該上半身部と対向する位置に配設された下半身部との間にスプリングを介して両半身部を遊離状態に分割せしめる。前記上半身部は、着火操作子に連設されたハンマーホルダーと、該ハンマーホルダー内にハンマースプリングを介して付勢されたハンマーと、該ハンマーの幅方向に突設されたハンマーピンと、前記ハンマーと電気的に接続されたアースとを備え、前記下半身部は、ハンマーホルダーと相対して配設されたエレメントホルダーと、該エレメントホルダーに組み付けられたヒッティングピンと、前記エレメントホルダーと前記ハンマーとの間に介在されたリターンスプリングとを備えるのが良い。
【実施例】
【００１２】
次に本考案の実施の一例を図面を参照しながら説明する。図中Ａは、本考案に係るピエゾライターであり、このピエゾライターＡは、所定大きさのライター本体１と、該ライター本体１内に液化ガスを封入せしめるガスタンク２と、該ガスタンク２の近傍に組み付けられたバルブ機構３及び内燃機構４と、前記バルブ機構３の開弁操作せしめる着火機構５とを備えている。
【００１３】
バルブ機構３は、筒蓋状のノズル螺旋３ａと、該ノズル螺旋３ｂの下方開口部に嵌合された有底筒状のノズル底栓体３ｂとで内部に弁室（図示せず）を形成しているもので、この弁室内には、Ｏリング、スプリングを介してガス噴出ノズル３ｃが上端を前記ノズル螺旋３ａの開口より外方へ突出すべく装着されている。
【００１４】
更に、ノズル底栓体３ｂの底面には、モルト等のフィルター３ｄ並びに釘状固定子３ｅ等を介して液化ガス吸上部材３ｆが装着されている。この液化ガス吸上部材３ｆは、上端がノズル底栓体３ｂ内に連結支持され下端が前記ガスタンク２内に延出すべく組み付けられたチューブ管からなり、必要に応じて中に焼結芯等を充填させても良い。
【００１５】
一方、内燃機構４は、ガス噴出ノズル３ｃの頂端に封緘されたノズルプレート４ａと、同ノズルプレート４ａを保持するためのオリフィス用ハウジング４ｂと、その上位に被冠された混合管４ｃと、該混合管４ｃの上部に配設されたバーナーノズル（拡散器）４ｄと、該バーナーノズル４ｄを囲繞すべく接合されたバーナーパイプ（燃焼筒）４ｅとを備えている。
【００１６】
着火機構５は、前述したガス噴出ノズル３ｃの頚部に一端が係合された弁操作レバー５ａと、該弁操作レバー５ａの他端側に連動される着火操作子５ｂと、該着火操作子５ｂの押し込み操作により動作される分割式圧電ユニット５ｃとから構成されている。
【００１７】
弁操作レバー５ａは、導電性材料によって成形されており、先端側がガス噴出ノズル３ｃの頸部に係止され、後端側が着火操作子５ｂにて押し込まれるべく配設されている。
【００１８】
着火操作子５ｂは、後述するハンマーホルダー５ｃ１  の上位に組み付けされており、同操作子５ｂの押し込み動作によって前記弁操作レバー５ａが変位して自動的にガス噴出ノズル３ｃの弁が開かれると共に、瞬時に放電端子(図示せず)から火花放電が発生し前記内燃機構４を介してバーナー着火がなされるように組み付けされている。
【００１９】
分割式圧電ユニット５ｃは、図２に示すように、着火操作子５ｂに組み付けられた上半身部を構成するハンマーホルダー５ｃ１  と、該ハンマーホルダー（上半身部）５ｃ１  と対向する位置に配設された下半身部を構成するエレメントホルダー５ｃ２  とを備えており、その間に、後述するスプリングを介して遊離状態に分割されている。
【００２０】
換言すれば、ハンマーホルダー(上半身部)５ｃ１  は、前記着火操作子５ｂの下側に連設された筒体からなり、該ハンマーホルダー５ｃ１  内にハンマースプリング５ｃ３  を介して付勢されたハンマー５ｃ４  と、該ハンマー５ｃ４  の幅方向に突設されたハンマーピン５ｃ５  と、前記ハンマー５ｃ４  と電気的に接続されたアース５ｃ６  とを備えている。
【００２１】
更に、前記エレメントホルダー(下半身部)５ｃ２  は、受け部材５ｃ７  、エレメント５ｃ８  を介して配設されたヒッティングピン５ｃ９  と、前記ハンマー５ｃ４  との間に介在されたリターンスプリング５ｃ１０とを備えている。
【００２２】
尚、前記ハンマーピン５ｃ５ は、図３に示すように、ライター本体１の取付凹部１ａに立設された支持アーム５ｃ１１の頂部側に係止されている。支持アーム５ｃ１１は、着火操作子５ｂが押し込まれた際、ハンマースプリング５ｃ３  の下方向への押圧力（付勢力）を、一旦、係止面で受けきるものの、更なる着火操作子５ｂの押込により同ハンマーピン５ｃ５  が斯かる押圧力(付勢力)に耐えきれずに係止面から落下することで、ヒッティングピン５ｃ９  を強力に打撃できるように組み付けられている(打撃機構)。
【００２３】
また、斯かる分割式圧電ユニット５ｃには、バーナーパイプ（燃焼筒）４ｅ内に向けて電気的に接続される導電線６が配設されおり、着火操作子５ｂが完全に押し込み動作された際に、上述の打撃機構が働き導電線６にて通電されバーナーパイプ（燃焼筒）４ｅ内に火花放電(スパーク)がなされることとなる。
【００２４】
このように構成されるピエゾライターは、着火操作子５ｂを押込操作することによって、分割式圧電ユニット１１のハンマーホルダー５ｃ１  が押し下げられると共に弁操作レバー５ａを押し込むべく作動して同レバー５ａの先端側を開弁方向に動作せしめバルブ機構３を開き方向に動作させて前記ガス噴出ノズル３ｃからガスを噴出させると共に、前記ハンマーホルダー５ｃ１  が完全に押し込み動作されて打撃機構が働き、ハンマースプリング、アースを介して通電回路が得られ、導電線６を介して放電端子６ａとバーナーパイプ（燃焼筒）４ｅ内にあるバーナーノズル（拡散器）４ｄの頂部との間に高電圧差が発生し、前記噴出ガスに火花放電（スパーク）によって炎口７からバーナー状の火炎に着火することができる。
【００２５】
尚、本考案の内燃機構は、本実施例で示した点火棒に限定されることなく、ガスライター、着火器等にも使用できるなど、本考案の目的の範囲内で自由に設計変更し得るものであり、本考案はそれらの全てを包摂するものである。例えば、本実施例ではピエゾライターについてのみ言及しているが、これに限定されることなく、例えば、圧電機構を備えた耐風性仕様の着火器（点火器）等の全てを包摂するものである。
【図面の簡単な説明】
【００２６】
【図１】本考案に係るピエゾライターの要部を示す縦断面図である。
【図２】本実施例で使用する分割式圧電ユニットを示す縦断面図である。
【図３】同分割式圧電ユニットの要部を示す一部切欠断面図である。
【符号の説明】
【００２７】
１  ライター本体
１ａ  取付凹部
２  ガスタンク
３  バルブ機構
３ａ  ノズル螺旋
３ｂ  ノズル底栓体
３ｃ  ガス噴出ノズル
３ｄ  フィルター
３ｅ  釘状固定子
３ｆ  液化ガス吸上部材
４  内燃機構
４ａ  ノズルプレート
４ｂ  オリフィス用ハウジング
４ｃ  混合管
４ｄ  拡散器
４ｄ１  副流孔
４ｅ  燃焼筒
５  着火機構
５ａ  弁操作レバー
５ｂ  着火操作子
５ｃ  分割式圧電ユニット
５ｃ１  ハンマーホルダー
５ｃ２  エレメントホルダー
５ｃ３  ハンマースプリング
５ｃ４  ハンマー
５ｃ５  ハンマーピン
５ｃ６  アース
５ｃ７  受け部材
５ｃ８  エレメント
５ｃ９  ヒッティングピン
５ｃ１０リターンスプリング
６  導電線
７  炎口
８  加熱触媒
９  風防
【図１】
0003138575.tif 000003
【図２】
0003138575.tif 000004
【図３】
0003138575.tif 000005